(57)【特許請求の範囲】
【請求項１】
座部及び背凭部を備えた椅子と、前記背凭部に設けたエアバックと、このエアバックに対してエアの給排気を行うエア給排気装置とを備えたストレッチエアマッサージ機であって、
前記背凭部に一対のストレッチ用ハンドルを設け、
膨張した際に腰を両側から挟み込んで固定する一対のサポート用エアバッグを前記背凭れ部に設け、
前記サポート用エアバッグを膨張させて腰を固定して、前記エアバックを膨張・収縮させることにより上半身のストレッチを行うことを特徴とするストレッチエアマッサージ機。
【請求項２】
座部及び背凭部を備えた椅子と、前記背凭部に設けた第１エアバックと、前記座部に設けた第２エアバックと、第１,第２エアバックに対してエアの給排気を行うエア給排気装置とを備えたストレッチエアマッサージ機であって、
前記背凭部に一対のストレッチ用ハンドルを設け、
膨張した際に腰を両側から挟み込んで固定する一対のサポート用エアバッグを前記背凭れ部に設け、
足を支える支え部を前記座部の下方位置に設け、
前記サポート用エアバッグを膨張させて腰を固定して、前記第１,第２エアバックを膨張・収縮させることにより上半身および脚部のストレッチを行うことを特徴とするストレッチエアマッサージ機。
【請求項３】
前記椅子はアームレストを備え、上下動可能な指圧突起と、膨張・収縮によって前記指圧突起を上下動させるエアバックとを前記アームレストに設け、このエアバックを膨張させて腕部のツボを指圧突起で押圧することを特徴とする請求項１または請求項２のストレッチエアマッサージ機。
【請求項４】
充電可能な２次電池を備え、この２次電池によって前記エア給排気装置を駆動させることを特徴とする請求項１ないし請求項３のいずれか１つに記載のストレッチエアマッサージ機。
【発明の詳細な説明】
【０００１】
【産業上の利用分野】
この発明は、座部及び背凭部を有する椅子にエアバックを設け、このエアバックの膨張・収縮によってストレッチが行えるようにしたストレッチエアマッサージ機に関する。
【０００２】
【従来の技術】
従来から、椅子の座部や背凭部にエアバックを設け、このエアバックを膨張・収縮させる給排気装置を設けた椅子式のエアマッサージ機が知られている。
【０００３】
かかる椅子式のエアマッサージ機では、給排気装置によりエアバックの膨張・収縮を繰り返し行うことによってマッサージを行なっていくものである。
【０００４】
【発明が解決しようとする課題】
しかしながら、このような椅子式のエアマッサージ機では、身体の一部を押圧してその押圧部分のマッサージを行なっていくだけであり、例えば背筋が延ばされたりするようなストレッチ作用を積極的に行えるようにしたものではないので、ストレスを十分に解消することができないという問題があった。
【０００５】
この発明の目的は、ストレッチを行ってストレスを十分に解消することのできるストレッチエアマッサージ機を提供することにある。
【０００６】
【課題を解決するための手段】
上記目的を達成するため、請求項１の発明は、座部及び背凭部を備えた椅子と、前記背凭部に設けたエアバックと、このエアバックに対してエアの給排気を行うエア給排気装置とを備えたストレッチエアマッサージ機であって、
前記背凭部に一対のストレッチ用ハンドルを設け、
膨張した際に腰を両側から挟み込んで固定する一対のサポート用エアバッグを前記背凭れ部に設け、
前記サポート用エアバッグを膨張させて腰を固定して、前記エアバックを膨張・収縮させることにより上半身のストレッチを行うことを特徴とする。
【０００７】
請求項２の発明は、座部及び背凭部を備えた椅子と、前記背凭部に設けた第１エアバックと、前記座部に設けた第２エアバックと、第１,第２エアバックに対してエアの給排気を行うエア給排気装置とを備えたストレッチエアマッサージ機であって、
前記背凭部に一対のストレッチ用ハンドルを設け、
膨張した際に腰を両側から挟み込んで固定する一対のサポート用エアバッグを前記背凭れ部に設け、
足を支える支え部を前記座部の下方位置に設け、
前記サポート用エアバッグを膨張させて腰を固定して、前記第１,第２エアバックを膨張・収縮させることにより上半身および脚部のストレッチを行うことを特徴とする。
【０００８】
請求項３の発明は、前記椅子はアームレストを備え、上下動可能な指圧突起と、膨張・収縮によって前記指圧突起を上下動させるエアバックとを前記アームレストに設け、このエアバックを膨張させて腕部のツボを指圧突起で押圧することを特徴とする。
【０００９】
請求項４の発明は、充電可能な２次電池を備え、この２次電池によって前記エア給排気装置を駆動させることを特徴とする。
【００１２】
【実施形態】
以下、この発明に係るストレッチエアマッサージ機の実施形態を図面に基づいて説明する。
【００１３】
図１に示すストレッチエアマッサージ機１０は、座部１１と背凭部１２と一対のアームレスト１４，１５とを有するオフィス用椅子１６と、エアバック２０〜２３と、エア給排気装置４０（図３参照）とを備えている。
【００１４】
座部１１および背凭部１２は、図示しないフレームにスポンジゴム等のクッションを保持させた本体（図示せず）を設けて、この本体をカバー（図示せず）で覆った構成となっている。
【００１５】
座部１１にはカバーの下側に且つ前側の位置に左右方向に延びたエアバック（第２エアバック）２０が設けられている。また、座部１１のフレーム（図示せず）に斜め下方に延びた支持棒１８が取り付けられており、この支持棒１８の先端部には左右に延びた支え部としての支えバー１９が設けられている。この支えバー１９は座部１１の前端部より少し前方に位置しており、支えバー１９の外周はゴム等の比較的軟らかい弾性部材１９ａによって覆われている。
【００１６】
背凭部１２の中央部には上下方向に延びたエアバック２１（第１エアバック）が設けられ、また背凭部１２の下部の両側には一対のエアバック（サポート用エアバック）２２，２３が設けられている。これらエアバック２１〜２３は図示しないカバーによって覆われている。エアバック２１は背骨に沿うとともに腰の位置から肩の位置まで延びている。エアバック２２，２３は膨張した際に腰を両側から挟み込んで腰をサポートするようになっている。
【００１７】
また、背凭部１２の上部の両側部には一対のストレッチ用ハンドル２５，２６が設けられており、このストレッチ用ハンドル２５，２６は背凭部１２のフレーム（図示せず）に固定されている。
【００１８】
アームレスト１４，１５の後部側の上面には、２つの孔１４ａ，１４ａ，１５ａ，１５ａがそれぞれ形成され、図２に示すように、この孔１４ａ，１４ａから上方に向けて指圧突起２７，２７が突出するようになっている。指圧突起２７，２７は板部材２８に取り付けられており、この板部材２８にはエアバック２９が取り付けられている。これらエアバック２９および板部材２８はアームレスト１４，１７内に設置され、板部材２８はスプリング３０により下方に付勢されている。
【００１９】
エアバック２９が膨張されると、図２に示すように、スプリング３０に抗して板部材２８が上方に移動して指圧突起２７，２７が孔１４ａ，１４ａから突出する。そして、エアバック２９が収縮するとスプリング３０により鎖線で示す位置へ指圧突起２７，２７および板部材２８が下降する。アームレスト１５内も同様な構成となっている。
【００２０】
アームレスト１４の外側面には操作部３５が設けられており、この操作部３５には、図３に示すように、上半身ストレッチスイッチＳ１と、脚部ストレッチスイッチＳ２と、マッサージスイッチＳ３と、腰部アップスイッチＳ４と、腰部ダウンスイッチＳ５と、電源用のオン・オフスイッチＳ６とが設けられている。
【００２１】
上半身ストレッチスイッチＳ１を操作するとエアバック２１が膨張・収縮され、脚部ストレッチスイッチＳ２を操作するとエアバック２０が膨張・収縮される。マッサージスイッチＳ３を操作するとエアバック２０〜２３，２９が順番に膨張・収縮されていき、膨張・収縮の周期はストレッチのときよりも短く設定されている。
【００２２】
腰部アップスイッチＳ４を押すと、押している間だけエアバック２２，２３が膨張されていき、腰部アップスイッチＳ４から指を離すとエアバック２２，２３の膨張が停止するようになっている。腰部ダウンスイッチＳ５を押すと、押している間だけ膨張したエアバック２２，２３が収縮されていき、腰部ダウンスイッチＳ５から指を離すとエアバック２２，２３の収縮が停止するようになっている。これらスイッチＳ４，Ｓ５は、体の大きさに合わせて腰部をエアバック２２，２３で固定できるようにしたものである。
【００２３】
エア給排気装置４０は、図３に示すように、空気を各エアバック２１〜２３，２９に送り込むポンプ４１と、電磁弁４２〜４６と、各電磁弁４２〜４６を制御する制御回路５０と、電源回路５１と、二次電池５２を充電する充電回路５３等とを備えている。
【００２４】
ポンプ４１と各電磁弁４２〜４５は連通管６０により連通され、電磁弁４６はポンプ４１を大気に開放して各エアバック２１〜２３，２９内の空気を排気させる。電磁弁４２とエアバック２１とは連通管６１により連通され、電磁弁４３とエアバック２２，２３とは連通管６２により連通され、電磁弁４４とエアバック２０とは連通管６３により連通され、電磁弁４５とエアバック２９，２９とは連通管６４により連通されている。
【００２５】
制御回路５０は各スイッチＳ１〜Ｓ６の操作に基づいて電磁弁４２〜４６やポンプ４１を制御する。エア給排気装置４０は、二次電池５２を電源としているが、プラグＰがコンセント（図示せず）に接続されると、電源回路５１から制御回路５０や電磁弁４２〜４６が電力の供給を受けるようになっている。また、このとき二次電池５２は充電回路５３によって充電される。
【００２６】
エア給排気装置４０は、図４に示すように、背凭部１２の裏面に設けた収納部１２Ａ内に設けられている。このエア給排気装置４０の電磁弁と４２〜４５とエアバック２１〜２９とを連通する連通管６１〜６４は座部１１の下面側や背凭部１２の背面側に配設されている。
【００２７】
次に、上記のように構成されるストレッチエアマッサージ機の動作について説明する。
【００２８】
上半身ストレッチを行う場合には、先ず、オン・オフスイッチＳ６を入れ、次に腰アップスイッチＳ４を押す。腰部アップスイッチＳ４が押されている間、電磁弁４３が開成し（他の電磁弁４２，４４〜４６は閉成している）、ポンプ４１によってエアバック２２，２３が膨張されていく。このエアバック２２，２３の膨張により腰部が固定される。腰部が丁度よい状態に固定されたら指を腰部アップスイッチＳ４から離す。これにより、電磁弁４３が閉成してエアバック２２，２３の膨張が停止される。
【００２９】
次に、上半身ストレッチスイッチＳ１を押すと、ポンプ４１が駆動するとともに電磁弁２１が開成してポンプ４１によりエアバック２１が膨張されていく。このとき、図５に示すように、ストレッチ用ハンドル２５，２６を握っておく。エアバック２２，２３により腰部が固定され、ストレッチ用ハンドル２５，２６を握っていることにより、エアバック２１が膨張するにしたがって背中が反っていき、背筋が伸ばされていく。これにより、ストレッチが行われることになる。
【００３０】
ところで、エアバック２１は、背骨に沿うとともに腰の位置から肩の位置まで延びているので、膨張により背筋を大きく延ばすことができ、これにより上半身のストレッチが十分に行なわれ、ストレスを解消することができる。また、腰部が固定されているので、背筋を確実に延ばすことができ、効率よくストレッチを行うことができる。
【００３１】
エアバック２１が所定時間膨張すると、ポンプ４１の駆動が停止されるとともに電磁弁４６が開成されて、エアバック２１は収縮していく。これら動作が繰り返し行われていく。
【００３２】
上半身のストレッチを行っている際、マッサージスイッチＳ３を操作すると、電磁弁４２の開閉動作に並行して電磁弁４５の開閉動作が行われ、エアバック２９，２９が膨張・収縮されていく。このエアバック２９，２９の膨張・収縮により、指圧突起２７，２７が孔１４ａ，１４ａ，１５ａ，１５ａから突出したり、孔１４ａ，１４ａ，１５ａ，１５ａへ没入したりして腕のつぼ（三理）を周期的に刺激していく。すなわち、上半身のストレッチと並行して腕のつぼが周期的に刺激されていくので、ストレスを効率よく解消することができる。
【００３３】
上半身のストレッチを止める場合には、再度上半身ストレッチスイッチＳ１を押す。これにより、ポンプ４１の駆動が停止されるとともに電磁弁４６，４２が開成されてエアバック２１が収縮される。同様に、マッサージスイッチＳ３を押せばエアバック２９，２９の膨張・収縮動作も停止する。
【００３４】
脚部ストレッチを行う場合には、脚部ストレッチスイッチＳ2を押す。これにより、電磁弁４６が閉成するとともに電磁弁４４が開成し（電磁弁４２,４３,４５が閉成している）、そして、ポンプ４１が駆動してエアバック２０が膨張されていく。このとき、図５に示すように、足の甲を支えバー１９に引っかけておく。このため、エアバック２０が膨張するにしたがって脚部は延びていき、ストレッチが行われることになる。
【００３５】
エアバック２０が所定時間膨張すると、ポンプ４１の駆動が停止されるとともに電磁弁４６が開成されてエアバック２０は収縮していく。これら動作が繰り返し行われていく。
【００３６】
この場合も、マッサージスイッチＳ３を操作すれば、脚部のストレッチと並行してエアバック２９，２９が膨張・収縮していき、腕のつぼが周期的に刺激されていく。
【００３７】
このストレッチを止める場合には、脚部ストレッチスイッチＳ２を再度押せば、上記と同様にしてエアバック２０の膨張・収縮が停止される。
【００３８】
マッサージを行う場合には、単に椅子１６に座った状態、すなわち、ストレッチ用ハンドル２５，２６を握らないとともに支えバー１９に足の甲を引っかけない状態で、マッサージスイッチＳ３だけを押す。これにより、電磁弁４２〜４５が順番に開閉動作されていき、エアバック２１、２２，２３、２０が順番に膨張・収縮されていく。上述したように、使用者は単に座った状態であるから各エアバック２１、２２，２３、２０の膨張・収縮により背中、腰、脚部に対してソフトなマッサージが行われていく。
【００３９】
他方、エアバック２１、２２，２３、２０の膨張・収縮に並行して電磁弁４５の開閉動作が行われてエアバック２９，２９が膨張・収縮されていく。このエアバック２９，２９の膨張・収縮により、指圧突起２７，２７が孔１４ａ，１４ａ，１５ａ，１５ａから突出したり、孔１４ａ，１４ａ，１５ａ，１５ａへ没入したりして腕のつぼ（三理）が周期的に刺激されていく。
【００４０】
なお、上半身ストレッチスイッチＳ１と脚部ストレッチスイッチＳ２を押せば、２つのエアバック２０，２１が膨張・収縮されていき、上半身のストレッチと脚部のストレッチとが行われるようになっている。この場合、２つのエアバック２０，２１を同時に膨張・収縮させてもよく、互いにエアバック２０，２１を交互に膨張・収縮させてもよい。
【００４１】
また、この際にもマッサージスイッチＳ３を押せば、エアバック２９，２９が膨張・収縮されていき、上半身のストレッチおよび脚部のストレッチと並行して腕のつぼが周期的に刺激されていく。
【００４２】
上記実施形態では、二次電池５２をエア給排気装置４０の電源としているので、椅子１６を所望の位置へ移動させてストレッチを行うことができる。
【００４３】
また、上記実施形態では、アームレスト１４の外側面に操作部３５を設けているが、図６に示すように、その外側面に段部１４Ｂを設け、この段部１４Ｂの上面に操作部３５を設けてもよい。また、リモコンで操作できるようにしてもよい。
【００４４】
【発明の効果】
以上説明したように、請求項１の発明によれば、一対のサポート用エアバッグを膨張させると、このサポート用エアバッグが腰を両側から挟み込んで固定する。このため、ストレッチ用のハンドルを握って背凭部に設けたエアバックを膨張させると、背筋を確実に大きく延ばすことができ、上半身のストレッチを効率よく行うことができ、ストレスを解消することができる。また、ストレッチ用ハンドルを用いない場合にはエアバックによるマッサージを行うことができる。
【００４５】
請求項２の発明によれば、請求項１の発明の効果の他に、足を支える支え部を座部の下方位置に設け、エアバックを膨張・収縮させることにより脚部のストレッチを行うようにしたものであるから、エアバックの膨張・収縮により脚部のストレッチを行うことができ、ストレスを解消することができる。
【００４６】
請求項３の発明によれば、椅子のアームレストに上下動可能な指圧突起と、この指圧突起を上下動させるエアバックとを設けたものであるから、ストレッチを行っている際に腕のツボを刺激することができ、ストレスを効率よく解消することができる。
【００４７】
請求項４の発明によれば、２次電池をエア給排気装置を駆動させる電源にしたものであるから、椅子を所望の位置に移動させてストレッチを行うことができる。
【図面の簡単な説明】
【図１】この発明に係るストレッチエアマッサージ機を示した斜視図である。
【図２】アームレストの一部を拡大した断面図である。
【図３】図１のストレッチエアマッサージ機の構成を示したブロック図である。
【図４】背凭部を示した斜視図である。
【図５】ストレッチを行っている状態を示した説明図である。
【図６】操作部の他の例を示した説明図である。
【符号の説明】
１１    座部
１２    背凭部
１６        椅子
２１        エアバック
２５        ストレッチ用ハンドル
２６        ストレッチ用ハンドル
【図１】
0003562562.tif 000002
【図２】
0003562562.tif 000003
【図３】
0003562562.tif 000004
【図４】
0003562562.tif 000005
【図５】
0003562562.tif 000006
【図６】
0003562562.tif 000007